(57)【要約】【課題】  本発明は、ノズルヘッドの形状を手軽に且つさほどのコストを要せずに変更することができるポンプディスペンサーを提供すること。【解決手段】容器の口部に取り付けられたキャップ部１１に対して上下移動可能に設けられるノズルヘッド２１から、容器２内の液体Ｌを吐出するように構成されたポンプディスペンサーＰであって、前記ノズルヘッド２１は、該ノズルヘッド１を覆う薄板状のヘッドプレートＫ１が別体として設けられているポンプディスペンサー。【効果】  ノズルヘッド全体の設計変更を行わなくても、同様な視覚的効果が得られる。  ノズルヘッド全体を設計変更する場合には、比較的複雑な構造の金型を作製し直さなければならないが、ヘッドプレートのみの変更であれば、簡易な構造の安価な金型を作製するだけで済み、金型作製に関して省力化や低コスト化を図ることができる。【選択図】    図１
2005296781.tif 000002
【特許請求の範囲】
【請求項１】
容器の口部に取り付けられたキャップ部に対して上下移動可能に設けられるノズルヘッドから、容器内の液体を吐出するように構成されたポンプディスペンサーであって、
前記ノズルヘッドには、該ノズルヘッドを覆う薄板状のヘッドプレートが別体として設けられていることを特徴とするポンプディスペンサー。
【請求項２】
前記ヘッドプレートはノズルヘッドに取外し自在に設けられていることを特徴とする請求項１に記載のポンプディスペンサー。
【請求項３】
前記ノズルヘッドには該ノズルヘッドを上方向に付勢するための板バネが一体成形されていることを特徴とする請求項１に記載のポンプディスペンサー。
【請求項４】
前記板バネの一端は、キャップ部の溝穴に係止されていることを特徴とする請求項３に記載のポンプディスペンサー。
【請求項５】
前記ノズルヘッドには、該ノズルヘッドから延出するノズル先端部が別体として設けられていることを特徴とする請求項１に記載のポンプディスペンサー。
【請求項６】
前記ノズル先端部に被せるための蓋体をノズル先端部に開閉可能に一体に設けたことを特徴とする請求項５に記載のポンプディスペンサー。
【請求項７】
前記ノズル先端部の突起部にヘッドプレートの溝部が嵌まり込むことで回り止め機能を有していることを特徴とする請求項５に記載のポンプディスペンサー。
【請求項８】
前記ノズル先端部の傾斜角度θは３０°以下であることを特徴とする請求項５に記載のポンプディスペンサー。
【請求項９】
キャップ部にはシリンダー部とそれに通じるチューブ部が一体形成され、且つシリンダー部にはバージンシールが一体形成されていることを特徴とする請求項１に記載のポンプディスペンサー。
【請求項１０】
バージンシールは、キャップ部の前方に切り離し可能に一体形成されていることを特徴とする請求項９に記載のポンプディスペンサー。
【発明の詳細な説明】
【技術分野】
【０００１】
本発明は、シャンプー等の粘性の高い液体の吐出、或いは化粧水等の粘性の低い液体の吐出・噴霧を手動操作により行うポンプディスペンサーに関する。
特に、ノズルヘッドの外観形状の設計変更を容易に行うことができるポンプディスペンサーに関する。
【背景技術】
【０００２】
従来、ノズルヘッドを上下移動させることで容器内の液体を外部に吐出することができるポンプディスペンサーとして、図８及び図９に示すポンプディスペンサーが知られている（例えば、特許文献１参照）。
ここで、図８は、従来のポンプディスペンサーの全体構成を示しており、図９は、ノズルヘッド付近の外観を示している。
【０００３】
このポンプディスペンサーには、バージンシールＳによって未使用状態に保持されている。
図８において、１０１は液体Ｌの入った容器、１０２は容器１０１の口部に取り付けられたキャップ、１０３はこのキャップ１０２に対してピストンと同時に上下移動可能に装着されたノズルヘッドである。
そしてノズルヘッド１０３を上下移動させることで、容器１０１内の液体Ｌを外部に吐出することができる。
【０００４】
図８においてまた、１０４はキャップ１０２の内側に結合して容器１０１内に垂下されたチューブ、１０５はノズルヘッド１０３の下部に一体結合しノズルヘッド１０３とともに上下移動するピストン、１０６はピストン１０５を上方付勢するスプリング、１０７はピストン１０５内に装着されたバルブ、１０８はチューブ１０４内に装着されたバルブである。
【０００５】
キャップ１０２にはピストン嵌挿用孔１０２ａが形成されており、このピストン嵌挿用孔１０２ａの奥部には、下垂するリング部１０９が一体形成されている。
チューブ１０４は、その上部嵌合部１０４ａでリング部１０９に嵌合する。
また、ピストン１０５は、リング部内に接して上下移動するようになっている。
【０００６】
ノズルヘッド１０３の下方移動を阻止するためのバージンシールＳはキャップ１０２に切り離し可能な状態で一体化して設けられている。
図８及び図９に示すようにバージンシールＳは、好ましくは円筒状に形成され、ピストン嵌挿用孔１０２ａに沿った薄肉部１１０Ａを介してキャップ１０２と結合している。
そのためポンプディスペンサーを使用する際には、このバージンシールＳをキャップ１０２の縦スリット１１１から全周を切り離して使用する。
【０００７】
【特許文献１】特開２００３−２１２２６１号公報  （図１、図２）
【発明の開示】
【発明が解決しようとする課題】
【０００８】
しかしながら、上述したようなポンプディスペンサーでは、例えば、シャンプーとリンスとでその外観を変え、そのバリエーションとして、ノズルヘッドの形状を例えばハート形状とスペード形状との組み合わせにしたい場合に、ノズルヘッド成形用の金型をバリエーションの数だけ作製しなければならない。
これでは、手間がかかる上コストアップとなる。
【０００９】
本発明は、かかる背景技術をもとになされたもので、上記の背景技術の問題点を克服するためになされたものである。
すなわち、本発明は、ノズルヘッドの形状を手軽に且つさほどのコストを要せずに変更することができるポンプディスペンサーを提供することを目的とする。
【課題を解決するための手段】
【００１０】
かくして、本発明者は、このような課題背景に対して鋭意研究を重ねた結果、ノズルヘッドの視認し易い位置に別部材であるヘッドプレートを取り付け、このヘッドプレートに幾つかのバリエーションを設けることで、ノズルヘッドの形状の変更が可能となることを見出し、この知見に基づいて本発明を完成させたものである。
【００１１】
すなわち、本発明は、（１）、容器の口部に取り付けられたキャップ部に対して上下移動可能に設けられるノズルヘッドから、容器内の液体を吐出するように構成されたポンプディスペンサーであって、前記ノズルヘッドには、該ノズルヘッドを覆う薄板状のヘッドプレートが別体として設けられているポンプディスペンサーに存する。
【００１２】
すなわち、本発明は、（２）、前記ヘッドプレートはノズルヘッドに取外し自在に設けられているポンプディスペンサーに存する。
【００１３】
すなわち、本発明は、（３）、  前記ノズルヘッドには該ノズルヘッドを上方向に付勢するための板バネが一体成形されている上記（１）に記載のポンプディスペンサーに存する。
【００１４】
すなわち、本発明は、（４）前記板バネの一端は、キャップ部の溝穴に係止されている上記（３）に記載のポンプディスペンサーに存する。
【００１５】
すなわち、本発明は、（５）、前記ノズルヘッドには、該ノズルヘッドから延出するノズル先端部が別体として設けられている上記（１）に記載のポンプディスペンサーに存する。
【００１６】
すなわち、本発明は、（６）、前記ノズル先端部に被せるための蓋体をノズル先端部に開閉可能に一体に設けた上記（５）に記載のポンプディスペンサーに存する。
【００１７】
すなわち、本発明は、（７）、前記ノズル先端部の突起部にヘッドプレートの溝部が嵌まり込むことで回り止め機能を有している上記（５）に記載のポンプディスペンサーに存する。
【００１８】
すなわち、本発明は、（８）、前記ノズル先端部の傾斜角度θは３０°以上である上記（５）に記載のポンプディスペンサーに存する。
【００１９】
すなわち、本発明は、（９）、キャップ部にはシリンダー部とそれに通じるチューブ部が一体形成され、且つシリンダー部にはバージンシールが一体形成されている上記（１）に記載のポンプディスペンサーに存する。
【００２０】
すなわち、本発明は、（１０）、バージンシールは、キャップ部の前方に切り離し可能に一体形成されている上記（９）に記載のポンプディスペンサーに存する。
【００２１】
なお、本発明の目的に添ったものであれば、上記（１）から（１０）を適宜組み合わせた構成も採用可能である。
【発明の効果】
【００２２】
本発明のポンプディスペンサーには、該ノズルヘッドを覆う薄板状のヘッドプレートが別体として設けられているため、ノズルヘッドのデザインの変更をしたい場合に、外観上顕著に視認される位置にあるヘッドプレートを取り替えることで達成できる。
【００２３】
ノズルヘッド全体の設計変更を行わなくても、同様な視覚的効果が得られる。  
ノズルヘッド全体を設計変更する場合には、比較的複雑な構造の金型を作製し直さなければならないが、ヘッドプレートのみの変更であれば、簡易な構造の安価な金型を作製するだけで済み、金型作製に関して省力化や低コスト化を図ることができる。
【００２４】
そしてこのように簡易にヘッドプレートを取り替えできるので、ノズルヘッド付近の外観形状を例えば、シャンプー、リンス、及びボディーシャンプーといった種別毎に特有のものに容易に変更することも容易にできる。
またノズルヘッド２１を上方に付勢するための板バネ２２は、ノズルヘッド２１と一体成形されていることで、両者間での滑りやガタ付きがない。
【００２５】
キャップ部１１、チューブ部１２、バージンシール１３、及びシリンダー部１４が一体成形されているため、部品点数の大幅な削減が図られ、組み付けも容易となる。
また、各部品同士の滑りや、がたつきがないためにポンプディスペンサーＰの動きが安定したものとなる。
【発明を実施するための最良の形態】
【００２６】
以下、本発明を実施するための最良の形態を図面に基づいて説明する。
図１は、本発明の一実施形態に係るポンプディスペンサーを示している。
図１（Ａ）は平面図、図１（Ｂ）は正面図、及び図１（Ｃ）は側面図を示す。
【００２７】
この一実施形態のポンプディスペンサーＰは、容器の口部に螺合して取り付けられるキャップ部１１と、ノズルヘッド２１を備えており、このキャップ部１１には一体成形されたシリンダー部１４と該シリンダー部１４に一体化されたチューブ部１２とを備える。
シリンダー部１４内にはまたピストン部１５が上下に往復移動自在に配設される。
ピストン部１５はシリンダー部１４内の液体（すなわちピストン部１５とＦバルブとの間の空間Ｓの液体）を押圧してノズル先端部Ｎから吐出させる。
なお、ノズル先端部Ｎのある側を前方とする。
キャップ部１１は、下方に突出する大径部１１ａと、この大径部１１ａと同心軸上で連結され上方及び下方に突出する小径部１１ｂとから形成されている。
【００２８】
この小径部１１ｂは、その上端がノズルヘッド２１と係合することで取り付けられる。
また大径部１１ａは、キャップ部１１の握り部となる。
このノズルヘッド２１の直下には、キャップ部１１（詳しくは小径部１１ｂ）の前方に一体成形されたバージンシール１３が切り離し可能なように設けられている。
バージンシール１３は、キャップ部１１の上面とノズルヘッド２１の下端部との間に介在してノズルヘッド２１の下方への移動を阻止している。
【００２９】
ここでバージンシール１３の具体的な形状を図２に示す。
図２（Ａ）に示すようにバージンシール１３は、三角形状の摘み部１３ａとこの摘み部１３ａと連結された棒状体部１３ｂとを有している。
【００３０】
摘み部１３ａの両側には浅い三角形の凹みが形成されており、Ａ−Ａ線に沿った断面を示すと、図２（Ｂ）のようになる。
棒状体部１３ｂは、図２（Ｃ）の横断面で分かるように、薄肉部を介してキャップ部１１（詳しくは、小径部１１ｂ）に連結されている。
そのため、摘み部１３ａを両側から摘んで強く引っ張れば、摘み部１３ａはこの棒状体部１３ｂの薄肉部のところから切り離される。
この時、指で両側の三角形の凹みを強く把持することができ、滑りにくくて便利である。
【００３１】
一方、ノズルヘッド２１の上方には、一定形状（ここではハート形状）をしたヘッドプレートＫ１が、ノズルヘッド２１を覆うように取り付けられている。
このヘッドプレートＫ１は別体としてノズルヘッド２１に取外し可能に設けられているので、取り替えることができる自由度がある。
【００３２】
このヘッドプレートＫ１のノズルヘッド２１への取付けは、具体的には、ヘッドプレートＫ１の裏面（下面）に形成された２筋の突起Ｋ１ａをノズルヘッド２１に形成された切欠部に嵌入させることで行う。
そして当時にヘッドプレートＫ１の裏面に形成された溝部Ｋ１ｂにノズル先端部Ｎに形成された突起部Ｎａを挿入させる。
なお、この突起部ＮａはヘッドプレートＫ１の回り止め機能をもつ。
すなわちヘッドプレートＫ１は上記のように３箇所で他の部材（ノズルヘッド２１やノズル先端部Ｎ）と係合され、安定した状態で所定の位置に配置されることとなる（図１（Ａ）参照）。
【００３３】
次に、図３に示すポンプディスペンサーＰの断面図を用いて、その内部構造等について更に説明する。
図３（Ａ）は図１（Ｃ）のＢ−Ｂ線に沿う断面図であり、図３（Ｂ）は図１（Ｂ）のＡ−Ａ線に沿う断面図である。
図に示すように、キャップ部１１、チューブ部１２、バージンシール１３、及びシリンダー部１４は一体成形されており、部品点数の大幅な削減が図られているため、組み付けが極めて容易である。
また、各部品同士の滑りやガタ付きが生じないためにポンプディスペンサーＰの動きが安定したものとなる。
【００３４】
薄板状のヘッドプレートＫ１は、前述したように、ノズルヘッド２１を覆うように取り付けられているために、外観上、視認識し易い位置にある。
そのためノズルヘッド２１のデザインの変更を行いたい場合には、ヘッドプレートＫ１を設計変更してノズルヘッド２１を取り付ければ足り、ノズルヘッド全体の設計変更と同等の視覚的効果が得られる利点がある。
因みに、ノズルヘッド全体を設計変更する場合には、比較的複雑な構造の金型を作製し直さなければならないが、ヘッドプレートＫ１のみの変更であれば、簡易な構造の安価な金型を作製するだけで済み、金型作製に関して省力化や低コスト化を図ることができる。
そして、このように簡易にヘッドプレートＫ１を作製できるので、ノズルヘッド本体の部分は汎用的に同じものが使える上に、ノズルヘッド付近の外観形状を例えば、シャンプー、リンス、及びボディーシャンプーといった種別毎に変更することも容易に可能である。
【００３５】
ノズルヘッド２１には、該ノズルヘッド２１から延出するノズル先端部Ｎが別体として設けられている。
このようにノズルヘッド２１とノズル先端部Ｎとを別体とすることで、ポンプディスペンサーＰにおいてノズル先端部Ｎの傾斜角度θ（いわゆる水平方向に対する角度）を従来より大きくすることができる。
図では、ノズル先端部Ｎは４５度下方へ傾斜している場合を示したが、このようにノズル口を極力下側へ向けるようにすることで、シャンプーやリンス等を頭上から、直接、頭部に吹き付ける際に、より容易に下方へ吐出できる。
【００３６】
因みに、従来は、ノズルヘッド２１と一体成形されていたので、金型の構造設計上（すなわち、金型離型時の抵抗や、アンダーカットの配置）、ノズルの傾斜角度は３０度が限界とされていた。
因みに、ノズルヘッドのノズル先端部の形状を成形後、後処理によってストレート形状から曲げ形状に屈曲させる方法もあったが強度の低下や工数が増える等の問題があった。
【００３７】
しかしながら、ノズル先端部Ｎをノズルヘッド２１と別体としたことでかかる問題は解消される。
ノズルヘッド２１と一体成形された板バネ２２の一端は、キャップ部１１の溝穴Ｈ（外周に二重壁で形成されている）に係止されている。
板バネ２２の一端は係止突起を有しており、この係止突起をキャップ部１１の溝穴に挿入することでワンタッチで組み付けられる利点がある。
板バネ２２は、ノズルヘッド２１を押し込まない状態においても上方へ付勢されており弾発力を有する。
【００３８】
いま、バージンシール１３を剥がし、ノズル先端部Ｎにヒンジ結合されノズル先端部Ｎのノズル口を覆う蓋体Ｎｂを開状態にしてから、ノズルヘッド２１をキャップ部１１に対して下降させると、図４に示すように、板バネ２２が大きく撓む。
具体的には、ノズルヘッド２１を手の平で押し込んで行くと、板バネ２２は曲率半径が小さくなるように急カーブに撓み、弾性エネルギーが更に蓄えられ、弾発力を増して行く。
【００３９】
そのため、ノズルヘッド２１から手を離すと、板バネ２２に蓄えられた弾発力により、速やかにノズルヘッド２１が上昇して元の位置に戻る。
板バネ２２は、ノズルヘッド２１と一体成形されているため（例えば、合成樹脂で射出成形により一体化されている）、両者間での滑りやガタ付きがなく、撓みによる板バネ２２のエネルギーが効率良くノズルヘッド２１に伝わる。
【００４０】
なお、ノズル先端部Ｎに一体的にヒンジ結合された蓋体Ｎｂを設けたことで、使用後はすぐにノズル先端部Ｎに蓋をすることができ、漏れだした液体が空気との接触により固化するようなことはない。
また一体的にヒンジ結合された蓋体Ｎｂを設けたことで、蓋体Ｎｂが紛失するようなことも防げる。
【００４１】
以上、本発明を説明してきたが、本発明は上述した一実施形態にのみ限定されるものではなく、その本質を逸脱しない範囲で、他の種々の変形が可能であることはいうまでもない。
例えば、上述した一実施形態では、ヘッドプレートＫ１の形状としてハート形の例を示したが、他の形状であっても良い。
以下、他の形状の例を３パターン、図５〜図７を用いて説明する。
【００４２】
図５に示すヘッドプレートＫ２は、図１に示したヘッドプレートＫ１と比べて、ハート形から雫形に変更されている点で大きく異なる。
かかる形状の変更は、ハート形用の金型に後加工を施すことによって、行うことができ、更なる省資源化、低コスト化を図ることができる。
【００４３】
図６に示すヘッドプレートＫ３は、図１に示したヘッドプレートＫ１と比べて、ハート形から前方後円形状に変更されている点で大きく異なる。
この形状では、ヘッドプレートＫ１，Ｋ２と同様に長方形状の部分が目印となりノズル吐出側を容易に把握することができる。
【００４４】
図７に示すヘッドプレートＫ４は、図６に示したヘッドプレートＫ３と比べて、角張った前方後円形状のヘッドプレートＫ３に変更されている点で異なる。
この形状でも、長方形状の部分が目印となりノズル吐出側を容易に把握することができる。
一方、ポンプディスペンサーは、キャップ部１１、チューブ部１２、バージンシール１３、及びシリンダー部１４は、合成樹脂により射出成形等により一体化されているが、一部を他の部材（金属又はセラミック）としてインサート成形することも可能である。
【産業上の利用可能性】
【００４５】
本発明は、シャンプー等の粘性の高い液体の吐出、或いは化粧水等の粘性の低い液体の吐出・噴霧を手動操作により行うポンプディスペンサーに関するものであるが、その原理を用いる限り、他の噴射用の容器の分野にも適用可能であり、その応用分野は広範囲のもきである。
【図面の簡単な説明】
【００４６】
【図１】図１は、本発明の一実施形態に係るポンプディスペンサーを示す説明図であり、それぞれ（Ａ）は平面図、（Ｂ）は正面図、及び（Ｃ）は側面図である。
【図２】図２は、図１のバージンシールの詳細を示す説明図であり、それぞれ（Ａ）は斜視図、（Ｂ）は（Ａ）のＡ−Ａ線に沿う断面図、及び（Ｃ）はキャップ部とバージンシールとの接続方法を示す説明図である。
【図３】図３は、図１のポンプディスペンサーの断面図であり、それぞれ（Ａ）は図１（Ｃ）のＢ−Ｂ線に沿う断面図、（Ｂ）は図１（Ｂ）のＡ−Ａ線に沿う断面図である。
【図４】図４は、図３（Ｂ）のポンプディスペンサーのノズルヘッドを押し込んだ状態を示す説明図である。
【図５】図５は、ヘッドプレートの第１の変形例を示す説明図であり、それぞれ（Ａ）は平面図、（Ｂ）は正面図、及び（Ｃ）は側面図である。
【図６】図６は、ヘッドプレートの第２の変形例を示す説明図であり、それぞれ（Ａ）は平面図、（Ｂ）は正面図、及び（Ｃ）は側面図である。
【図７】図７は、ヘッドプレートの第３の変形例を示す説明図であり、（Ａ）は平面図、（Ｂ）は正面図、及び（Ｃ）は側面図である。
【図８】図８は、従来のポンプディスペンサーの全体構成を示す説明図である。
【図９】図９は、図８のポンプディスペンサーのノズルヘッド付近を示した斜視図である。
【符号の説明】
【００４７】
１１  キャップ部
１１ａ  大径部
１１ｂ  小径部
１２  チューブ部
１３  バージンシール
１３ａ  摘み部
１３ｂ  棒状体部  
１４  シリンダー部
１５  ピストン部
２１  ノズルヘッド
２２  板バネ
１０１  容器
１０２  キャップ
１０２ａ  ピストン嵌挿用孔
１０３  ノズルヘッド
１０４  チューブ
１０４ａ  上部嵌合部
１０５  ピストン
１０６  スプリング
１０７，１０８  バルブ
１０９  リング部
１１０Ａ  薄肉部
１１１  縦スリット
Ｈ  溝穴
Ｋ１，Ｋ２，Ｋ３，Ｋ４  ヘッドプレート
Ｋ１ａ  突起
Ｋ１ｂ  溝部
Ｌ  液体
Ｎ  ノズル先端部
Ｎａ  突起部
Ｎｂ  蓋体
Ｐ  ポンプディスペンサー
Ｔ  空間
Ｓ  バージンシール
【図１】
2005296781.tif 000003
【図２】
2005296781.tif 000004
【図３】
2005296781.tif 000005
【図４】
2005296781.tif 000006
【図５】
2005296781.tif 000007
【図６】
2005296781.tif 000008
【図７】
2005296781.tif 000009
【図８】
2005296781.tif 000010
【図９】
2005296781.tif 000011